(57)【特許請求の範囲】
【請求項１】
粉体を収納することができる筒状の容器本体と、この容器本体の後端部に取付けられた回転具の回転によって該容器本体内に位置する撹拌具を回転および上下移動させることができる撹拌装置と、前記容器本体の先端部に取付けられた、該容器本体の先端部に形成された粉体排出口と連通する粉体排出パイプを内部に有するブラシとからなることを特徴とする粉体容器。
【請求項２】
先端外周部寄りの部位に粉体排出口が形成された、粉体を収納することができる筒状の容器本体と、この容器本体の後端部に取付けられた回転具と一体形成された攪拌棒の先端部に取付けられた開閉弁によって、該回転具の回転によって前記粉体排出口を開閉弁で開閉するとともに、該容器本体内に収納された粉体を撹拌することができる撹拌装置と、前記容器本体の先端部を覆うように取付けられたブラシ支持筒と、このブラシ支持筒に収納あるいは使用できる状態に支持することができる支持具を備えるブラシとからなることを特徴とする粉体容器。
【発明の詳細な説明】
【０００１】
【発明の属する技術分野】
本発明はベビーパウダーや白粉等の粉体を収納する粉体容器に関する。
【０００２】
【従来の技術】
従来、ベビーパウダーや白粉等の粉体はパウダーブラシが内部に収納できる缶容器に収納されている。
【０００３】
【発明が解決しようとする課題】
従来の粉体を缶容器に収納するものにあっては、使用時に粉体が周囲に飛散しやすいとともに、携帯して使用するには嵩張るという欠点があった。
【０００４】
本発明は以上のような従来の欠点に鑑み、使用時に粉体が周囲に飛散するのを効率よく防止することができるとともに、携帯に便利で、収納された粉体を使用毎に撹拌して固まるのを効率よく阻止することができる粉体容器を提供することを目的としている。
【０００５】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００６】
【課題を解決するための手段】
上記目的を達成するために、本発明は粉体を収納することができる筒状の容器本体と、この容器本体の後端部に取付けられた回転具の回転によって該容器本体内に位置する撹拌具を回転および上下移動させることができる撹拌装置と、前記容器本体の先端部に取付けられた、該容器本体の先端部に形成された粉体排出口と連通する粉体排出パイプを内部に有するブラシとで粉体容器を構成している。
【０００７】
【発明の実施の形態】
以下、図面に示す実施の形態により、本発明を詳細に説明する。
【０００８】
図１ないし図１０に示す本発明の第１の実施の形態において、１はベビーパウダーや白粉等の粉体２を収納することができる、携帯に便利な棒状に形成された本発明の粉体容器で、この粉体容器１は粉体２を収納することができる筒状の容器本体３と、この容器本体３の後端部に取付けられた回転具４の回転によって該容器本体３内に位置する撹拌具５を回転および上下移動させて内部の粉体２を撹拌することができる撹拌装置６と、前記容器本体３の先端部に取付けられた該容器本体３の先端部に形成された粉体排出口７と連通する粉体排出パイプ８を内部に有するブラシ９とで構成されている。
【０００９】
前記容器本体３は図３に示すように、透明合成樹脂材で筒状に形成された筒部材１０と、この筒部材１０の先端部と一体形成された小径筒状で、先端外周部にねじ部１１が形成されたブラシ取付部１２とで構成されている。
【００１０】
前記撹拌装置６は図４に示すように、前記容器本体３の後端部に嵌合固定される円筒状の栓本体１３、この栓本体１３の先端部より外方に突出するように形成された複数個、本発明の実施の形態では３個の係止片１４、１４、１４、前記栓本体１３の内壁面に形成された複数個、本発明の実施の形態では３個のストッパー片１５、１５、１５とからなる栓１６と、この栓１６のストッパー片１５、１５、１５によって外方へ突出するのを阻止される、図５に示すように先端部に前記ストッパー片１５、１５、１５に係止されるフランジ部１７が形成された円筒状の回転具支持部材本体１８、この回転具支持部材本体１８の後端外周部に形成されたリング状の係合凹部１９、前記回転具支持部材本体１８の内壁面に後端部が傾斜面２０、２０で両側部が案内溝２１、２１となるように形成されたガイド用突起２２、２２とからなる回転具支持部材２３と、図６に示すようにこの回転具支持部材２３の係合凹部１９と係合して該回転具支持部材２３を回転させることができるキャップ状の回転具本体２４、この回転具本体２４の内底中央部に一体形成されたスプリング支持軸２５とからなる回転具４と、図７に示すように前記容器本体３内の後部を密閉状態で覆う、該容器本体３内をスライド移動可能なパッキング部材２６、このパッキング部材２６の外周部に形成された該パッキング部材２６の所定量以上の移動を阻止する、前記栓１６の係止片１４、１４、１４と係合するストッパー片２７、前記パッキング部材２６の後端部より外方へ突出するように形成された前記回転具４のスプリング支持軸２５が挿入される筒状の軸２８、この軸２８の先端外周部に一体形成された前記回転具支持部材２３の傾斜面２０、２０と係合する係合片２９、２９、前記パッキング部材２６のほぼ中央部に先端部側に開口するように形成された撹拌棒嵌合孔３０とからなる撹拌具支持部材３１と、図８に示すようにこの撹拌具支持部材３１の撹拌棒嵌合孔３０に後端部が嵌合固定される撹拌棒３２、この撹拌棒３２の先端部寄りの部位に外方へ突出するように取付けられた複数個の撹拌羽根３２ａ、３２ａ、３２ａ、３２ａとからなる撹拌具５と、前記回転具４のスプリング支持軸２５の根元部に一端が支持され、他端が撹拌具支持部材３１の軸２８に支持されたスプリング３３とで構成されている。
【００１１】
前記ブラシ９は図９に示すように、前記容器本体３のねじ部１１と螺合固定されるねじ部３４がほぼ中央部の内壁面に形成された筒状の支持部材３５、この支持部材３５の先端部に取付けられた、前記容器本体３の先端部の粉体排出口７と連通する粉体排出パイプ８を内部に有するブラシ本体３６、前記支持部材３５の外周部をスライド移動して、先端部のストッパー片３７によってその移動を阻止される前記ブラシ本体３６を出没可能に覆う筒状のキャップ３８とで構成されている。
【００１２】
上記構成の粉体容器１は、使用する場合に撹拌装置６の回転具４を持って回転させることにより、回転具支持部材２３が回転する。
この回転具支持部材２３の回転により、撹拌具支持部材３１がスプリング３３の付勢力と、回転具支持部材２３のガイド用突起２２、２２の傾斜面２０、２０と当接する撹拌具支持部材３１の係合片２９、２９との関係によって回動しながら上下移動し、容器本体３内の粉体２を撹拌することができ、粉体排出口７より粉体排出パイプ８を介してブラシ本体３６内に粉体２を排出する。
この状態で、キャップ３８をスライド移動させてブラシ本体３６を外方へ突出させて使用する。
不使用時にはキャップ３８を外方へ突出させて、ブラシ本体３６をキャップ３８内に収納させておく。
【００１３】
なお、本発明の実施例では撹拌具５を回転具４によって回転させることができる撹拌装置を用いてもよい。
【００１４】
【発明の異なる実施の形態】
次に、図１１ないし図１７に示す本発明の異なる実施の形態につき説明する。なお、これらの本発明の異なる実施の形態の説明に当って、前記本発明の第１の実施の形態と同一構成部分には同一符号を付して重複する説明を省略する。
【００１５】
図１１ないし図１４に示す本発明の第２の実施の形態において、前記本発明の第１の実施の形態と主に異なる点は、閉塞された先端部の外周部寄りの部位に粉体排出口７Ａを形成した容器本体３Ａと、回転具４と撹拌棒３２を一体形成するとともに、撹拌棒３２の先端部に前記粉体排出口７Ａを開閉する開閉弁３９を設けた撹拌装置６Ａと、容器本体３Ａの先端外周部のねじ部１１と螺合固定されるブラシ支持筒４０と、このブラシ支持筒４０に収納あるいは使用できる状態に支持することができる、該ブラシ支持筒４０に先端部あるいは後端部より着脱可能に挿入することができるスライド筒４１、このスライド筒４１に形成された軸心方向のガイド溝４２、このガイド溝４２内をスライド移動する係合ピン４３を有するブラシ支持具４４とからなる支持具４５と、この支持具４５のブラシ支持具４４に支持されたブラシ本体３６Ａとを用いた点で、このように構成された粉体容器１Ａは、不使用時には図１１に示すようにブラシ本体３６Ａをブラシ支持筒４０内に収納しておく。
使用する場合には、撹拌装置６Ａの回転具４を回転させて開閉弁３９を開放して粉体排出口７Ａよりブラシ支持筒４０内に粉体２を排出（粉体排出口７Ａを下方に位置させる）させた後、開閉弁３９を閉じ、スライド筒４１をブラシ支持筒４０より抜き取り、図１４に示すように反転させてブラシ支持筒４０にスライド筒４１を挿入させることにより、ブラシ本体３６Ａがスライド筒４１の外方へ突出した状態となって、使用することができる。
【００１６】
図１５ないし図１７に示す本発明の第３の実施の形態において、前記本発明の第２の実施の形態と主に異なる点は、筒部材１０の先端部に粉体排出口７Ａを形成したキャップ４６を螺合固定させた容器本体３Ｂと、回転具４と撹拌棒３２とを嵌合ピン４７で固定した点で、このように構成した粉体容器１Ｂにしても、前記本発明の第２の実施の形態と同様な作用効果が得られる。
【００１７】
【発明の効果】
以上の説明から明らかなように、本発明にあっては次に列挙する効果が得られる。
【００１８】
（１）粉体を収納することができる筒状の容器本体と、この容器本体の後端部に取付けられた回転具の回転によって該容器本体内に位置する撹拌具を回転および上下移動させることができる撹拌装置と、前記容器本体の先端部に取付けられた、該容器本体の先端部に形成された粉体排出口と連通する粉体排出パイプを内部に有するブラシとで構成されているので、回転具を回転させることにより、容器本体内に収納された粉体を撹拌することができる。
したがって、容器本体内に収納された粉体が固まったりしても、撹拌によって効率よくブラシへ排出させて使用することができる。
【００１９】
（２）前記（１）によって、容器本体内の粉体を粉体排出口よりブラシの内部の粉体排出パイプよりブラシへ排出することができる。
したがって、ブラシを使用することで自動的に粉体を塗布することができる。
【００２０】
（３）前記（１）によって、使用される粉体はブラシの内部に位置する粉体排出パイプよりブラシ内に排出させることができる。
したがって、粉体が周囲に飛散するのを効率よく防止することができる。
【００２１】
（４）請求項２も前記（１）〜（３）と同様な効果が得られる。
【図面の簡単な説明】
【図１】本発明の第１の実施の形態の正面図。
【図２】図１の２−２線に沿う断面図。
【図３】本発明の第１の実施の形態の容器本体の説明図。
【図４】本発明の第１の実施の形態の栓の説明図。
【図５】本発明の第１の実施の形態の回転具支持部材の説明図。
【図６】本発明の第１の実施の形態の回転具の説明図。
【図７】本発明の第１の実施の形態の撹拌具支持部材の説明図。
【図８】本発明の第１の実施の形態の撹拌具の説明図。
【図９】本発明の第１の実施の形態のブラシの説明図。
【図１０】本発明の第１の実施の形態の撹拌具の動作説明図。
【図１１】本発明の第２の実施の形態の縦断面図。
【図１２】本発明の第２の実施の形態の一部破断斜視図。
【図１３】本発明の第２の実施の形態の使用状態の断面図。
【図１４】本発明の第２の実施の形態の使用状態の一部破断斜視図。
【図１５】本発明の第３の実施の形態の縦断面図。
【図１６】本発明の第３の実施の形態の使用状態の断面図。
【図１７】本発明の第３の実施の形態の使用状態の一部破断斜視図。
【符号の説明】
１、１Ａ、１Ｂ：粉体容器、
２：粉体、              ３、３Ａ：容器本体、
４：回転具、            ５：撹拌具、
６、６Ａ：撹拌装置、    ７、７Ａ：粉体排出口、
８：粉体排出パイプ、    ９：ブラシ、
１０：筒部材、          １１：ねじ部、
１２：ブラシ取付部、    １３：栓本体、
１４：係止片、          １５：ストッパー片、
１６：栓、              １７：フランジ部、
１８：回転具支持部材本体、
１９：係合凹部、        ２０：傾斜面、
２１：案内溝、          ２２：ガイド用突起、
２３：回転具支持部材、  ２４：回転具本体、
２５：スプリング支持軸、２６：パッキング部材、
２７：ストッパー片、    ２８：軸、
２９：係合片、          ３０：撹拌棒嵌合孔、
３１：撹拌具支持部材、  ３２：撹拌棒、
３２ａ：撹拌羽根、      ３３：スプリング、
３４：ねじ部、          ３５：支持部材、
３６、３６Ａ：ブラシ本体、
３７：ストッパー片、    ３８：キャップ、
３９：開閉弁、          ４０：ブラシ支持筒、
４１：スライド筒、      ４２：ガイド溝、
４３：係合ピン、        ４４：ブラシ支持具、
４５：支持具、          ４６：キャップ、
４７：嵌合ピン。
【図１】
0004594473.tif 000002
【図２】
0004594473.tif 000003
【図３】
0004594473.tif 000004
【図４】
0004594473.tif 000005
【図５】
0004594473.tif 000006
【図６】
0004594473.tif 000007
【図７】
0004594473.tif 000008
【図８】
0004594473.tif 000009
【図９】
0004594473.tif 000010
【図１０】
0004594473.tif 000011
【図１１】
0004594473.tif 000012
【図１２】
0004594473.tif 000013
【図１３】
0004594473.tif 000014
【図１４】
0004594473.tif 000015
【図１５】
0004594473.tif 000016
【図１６】
0004594473.tif 000017
【図１７】
0004594473.tif 000018